(57)【要約】【課題】各合体コネクタに使用されるハウジングの種類を大幅に増やすことなく、簡単な構成で合体コネクタに対応するフード付コネクタを識別できるようにする。【解決手段】複数のハウジングが積層されたものを含む合体コネクタＦＣ１と、そのハウジングが積層状態のまま嵌入可能な内側面形状をもつフード３０を備えたフード付コネクタＭＣ１とで構成される電気接続装置において、その合体コネクタに対応するフード付コネクタを識別するための方法。各合体コネクタのハウジングとして外側面形状が互いに異なる複数種のハウジング１０Ａ，１０Ｂを用意し、これらのハウジングを互いに異なる組み合わせで積層することにより互いに外側面形状の異なる合体コネクタを構築する。そして、各合体コネクタが嵌合されるべきフード付コネクタのフード３０の内側面形状を当該合体コネクタを構成する各ハウジングの外側面形状に対応した形状にする。【選択図】      図１
2004327325.tif 000002
【特許請求の範囲】
【請求項１】
任意の組み合わせで相互に合体可能な複数のハウジングが相互合体されたものを含む合体コネクタと、当該合体コネクタを構成するハウジングがその合体状態のまま嵌入可能な内側面形状をもつフードを備えたフード付コネクタとで構成される電気接続装置の当該合体コネクタに対応するフード付コネクタを識別するための方法であって、前記合体コネクタを構成する相互に合体可能なハウジングとしてその外側面の形状が互いに異なる複数種のハウジングを用意し、その複数種のハウジングを互いに異なる組み合わせで合体させることにより互いに外側面形状の異なる複数の合体コネクタを構築する一方、各合体コネクタがそれぞれ嵌合されるべき前記フード付コネクタのフードの内側面形状を当該合体コネクタの外側面形状に対応した形状にすることを特徴とする電気接続装置のコネクタ識別方法。
【請求項２】
請求項１記載の電気接続装置のコネクタ識別方法において、前記フード付コネクタのフード内に当該フード付コネクタに対応する合体コネクタのみが嵌入可能となるように当該フード付コネクタのフードの内側面形状及び当該フード付コネクタに対応する合体コネクタでのハウジングの組み合わせを設定することを特徴とする電気接続装置のコネクタ識別方法。
【請求項３】
請求項１または２記載の電気接続装置のコネクタ識別方法において、前記合体コネクタを構成するハウジングとして任意の組み合わせで相互に積層可能であってかつその積層方向と直交する方向を向く側面の形状が互いに異なる複数種のハウジングを用意し、その複数種のハウジングを互いに異なる組み合わせで積層することにより互いに外側面形状の異なる複数の合体コネクタを構築することを特徴とする電気接続装置のコネクタ識別方法。
【請求項４】
請求項１〜３のいずれかに記載の電気接続装置のコネクタ識別方法において、前記合体コネクタを構成するハウジングとして、その外側面に識別部を有するものと当該識別部を有しないものとを含むことを特徴とする電気接続装置のコネクタ識別方法。
【請求項５】
請求項４記載の電気接続装置のコネクタ識別方法において、前記識別部として前記ハウジングの外側面に当該外側面から外側に突出する識別用凸部または前記フード付コネクタへの嵌入方向と平行な方向に延びる識別用凹溝を設け、これに対応する前記フード付コネクタの内側面に前記識別用凸部が嵌入可能な凹溝または前記識別用凹溝内に嵌入可能な凸部を設けることを特徴とする電気接続装置のコネクタ識別方法。
【請求項６】
任意の組み合わせで相互に合体可能な複数のハウジングが相互に合体されたものを含む合体コネクタと、当該合体コネクタを構成するハウジングがその合体状態のまま嵌入可能な内側面形状をもつフードを備えたフード付コネクタとで構成される電気接続装置が複数箇所で用いられる車両の配線システムにおいて、各合体コネクタに使用されるハウジングとしてその外側面の形状が互いに異なる複数種のハウジングを含み、これら複数種のハウジングの組み合わせによって互いに外側面形状の異なる複数種の合体コネクタが構築される一方、これらの合体コネクタがそれぞれ嵌合されるべき前記各フード付コネクタのフードが当該合体コネクタの外側面形状に対応した内側面形状を有していることを特徴とする車両の配線システム。
【請求項７】
請求項６記載の車両の配線システムにおいて、前記各フード付コネクタにおけるフードは、当該フード付コネクタに対応する合体コネクタのみ嵌入可能な内側面形状を有することを特徴とする車両の配線システム。
【請求項８】
請求項６または７記載の車両の配線システムにおいて、前記合体コネクタを構成するハウジングとして任意の組み合わせで相互に積層可能であってかつその積層方向と直交する方向を向く側面の形状が互いに異なる複数種のハウジングを含み、その複数種のハウジングを互いに異なる組み合わせで積層することにより互いに外側面形状の異なる複数の合体コネクタが構築されることを特徴とする車両の配線システム。
【請求項９】
請求項６〜８のいずれかに記載の車両の配線システムにおいて、前記各合体コネクタを構成するハウジングとして、その外側面に識別部を有するものと当該識別部を有しないものとを含むことを特徴とする車両の配線システム。
【請求項１０】
請求項９記載の車両の配線システムにおいて、前記識別部は前記ハウジングの外側面から外側に突出する識別用凸部または前記フード付コネクタへの嵌入方向と平行な方向に延びる識別用凹溝であり、これに対応する前記フード付コネクタの内側面に前記識別用凸部が嵌入可能な凹溝または前記識別用凹溝内に嵌入可能な凸部が設けられていることを特徴とする車両の配線システム。
【発明の詳細な説明】
【０００１】
【発明の属する技術分野】
本発明は、車両等に用いられる電気接続装置のコネクタ識別方法及び当該識別方法が適用される車両の配線システムに関するものである。
【０００２】
【従来の技術】
従来、車両用ワイヤハーネスの組立作業を効率良く行うために、当該ワイヤハーネスを複数の小ハーネスに分け、各小ハーネスを個別に形成した後にこれら小ハーネスを合体させて最終のワイヤハーネスを構築するといった方法が用いられている。このような方法によれば、電線調尺、端子圧着、端子コネクタ挿入といった単純で回数の多い工程は各小ハーネスごとに行ってその自動化、効率化を図る一方、最後は前記各小ハーネスを合体させるだけの簡単な工程で最終の大型ハーネスを構築できるという利点がある。
【０００３】
しかしながら、この方法では、前記ワイヤハーネスの分割に伴って当該ワイヤハーネスの端末に設けられるコネクタも分割しなければならず、その個数が増えるため、その個数分だけコネクタ同士の接続作業の回数も増えてしまう欠点がある。
【０００４】
そこで近年は、その分割されたコネクタのハウジング同士を後から合体できるようにし、その合体状態のまま相手方コネクタのフード内に一度に嵌入できるようにした電気接続装置の開発が進められている。
【０００５】
前記のような合体コネクタとして、例えば下記特許文献１には、一方向に配列された複数の端子を保持し、かつ、その配列方向と直交する方向に相互に積層自在な複数のハウジングを備え、これらのハウジングを積層した状態で相手コネクタのフード内に嵌入できるようにしたものが開示されている。
【０００６】
【特許文献１】
特開２００２−２４６１２７号公報（第４〜５頁，図５）
【０００７】
【発明が解決しようとする課題】
前記合体コネクタを用いれば、最終的なコネクタの総数を削減できるとはいえ、例えば車両の配線システムにおいては多数のコネクタ接続箇所が散在しているため、各合体コネクタを嵌合すべき相手方コネクタの識別が容易でないという不便がある。特に、量産性向上のために任意の組み合わせで相互に合体可能な複数の同一形状のハウジングを各合体コネクタに用いた場合、当該各合体コネクタを構成するハウジングの個数が同一であると外見上コネクタの見分けがつかず、最悪の場合には誤った組み合わせでコネクタ同士の嵌合がなされるおそれもある。
【０００８】
このような誤嵌合を防ぐ手段として、各合体コネクタごとにハウジング形状を全く異ならせたり、識別用のシールを貼ったりすることが考えられるが、前者の場合には使用するハウジングの種類が大幅に増えるために当該ハウジングの量産性が著しく低下し、また後者の場合にはシール貼付等の作業の煩わしい工程が増えてしまう欠点がある。
【０００９】
本発明は、このような事情に鑑み、各合体コネクタに使用されるハウジングの種類を大幅に増やすことなく、簡単な構成で合体コネクタに対応するフード付コネクタを識別できるようにすることを目的とする。
【００１０】
【課題を解決するための手段】
前記課題を解決するための手段として、本発明は、任意の組み合わせで相互に合体可能な複数のハウジングが相互合体されたものを含む合体コネクタと、当該合体コネクタを構成するハウジングがその合体状態のまま嵌入可能な内側面形状をもつフードを備えたフード付コネクタとで構成される電気接続装置の当該合体コネクタに対応するフード付コネクタを識別するための方法であって、前記合体コネクタを構成する相互に合体可能なハウジングとしてその外側面の形状が互いに異なる複数種のハウジングを用意し、その複数種のハウジングを互いに異なる組み合わせで合体させることにより互いに外側面形状の異なる複数の合体コネクタを構築する一方、各合体コネクタがそれぞれ嵌合されるべき前記フード付コネクタのフードの内側面形状を当該合体コネクタの外側面形状に対応した形状にするものである。
【００１１】
また本発明は、任意の組み合わせで相互に合体可能な複数のハウジングが相互に合体されたものを含む合体コネクタと、当該合体コネクタを構成するハウジングがその合体状態のまま嵌入可能な内側面形状をもつフードを備えたフード付コネクタとで構成される電気接続装置が複数箇所で用いられる車両の配線システムにおいて、各合体コネクタに使用されるハウジングとしてその外側面の形状が互いに異なる複数種のハウジングを含み、これら複数種のハウジングの組み合わせによって互いに外側面形状の異なる複数種の合体コネクタが構築される一方、これらの合体コネクタがそれぞれ嵌合されるべき前記各フード付コネクタのフードが当該合体コネクタの外側面形状に対応した内側面形状を有しているものである。
【００１２】
なお、この配線システムでは、必ずしも全ての合体コネクタの外側面形状が互いに異なっていなくてもよく、少なくとも相互識別を要する複数の合体コネクタについてその外側面形状が異なるようにハウジングの組み合わせが設定されていればよい。
【００１３】
以上の構成によれば、各合体コネクタを構成するハウジングの種類数を大幅に増やすことなく、当該ハウジングの組み合わせによって合体コネクタごとにその外側面形状を異ならせることができる。そして、各合体コネクタがそれぞれ嵌合されるべき各フード付コネクタのフードの内側面形状を当該合体コネクタの外側面形状に対応させることにより、当該合体コネクタに対応するフード付コネクタの識別が可能となる。
【００１４】
さらに、前記フード付コネクタのフード内に当該フード付コネクタに対応する合体コネクタのみが嵌入可能となるように当該フード付コネクタのフードの内側面形状及び当該フード付コネクタに対応する合体コネクタでのハウジングの組み合わせを設定すれば、フード付コネクタのフードにこれと対応する合体コネクタと異なるコネクタが誤って嵌入されてしまう誤嵌合をより確実に防ぐことが可能になる。
【００１５】
前記ハウジング同士の合体の態様については特に問わないが、前記合体コネクタを構成するハウジングとして任意の組み合わせで相互に積層可能であってかつその積層方向と直交する方向を向く側面（外側面）の形状が互いに異なる複数種のハウジングを用意し、その複数種のハウジングを互いに異なる組み合わせで積層することにより互いに外側面形状の異なる複数の合体コネクタを構築するすれば、各ハウジングの薄型化が可能であるとともに、相互合体されるハウジングの数（すなわち積層数）を制限なく設定することが可能になる。
【００１６】
前記ハウジングの外側面形状については、相互識別可能なものであれば特に問わない。例えば、前記合体コネクタを構成するハウジングとして、その外側面に識別部を有するものと当該識別部を有しないものとを含むようにすれば、特にハウジングの全体形状を異ならせなくても、その識別部の有無によって相互の識別を確実に行うことができる。
【００１７】
より具体的に、前記識別部として前記ハウジングの側面に当該側面から外側に突出する識別用凸部または前記フード付コネクタへの嵌入方向と平行な方向に延びる識別用凹溝を設け、これに対応する前記フード付コネクタの内側面に前記識別用凸部が嵌入可能な凹溝または前記識別用凹溝内に嵌入可能な凸部を設けるようにすれば、当該凸部及び凹溝の存在により、識別機能に加えて嵌入方向への合体コネクタの案内機能も付与することができる。
【００１８】
【発明の実施の形態】
本発明の好ましい実施の形態を図面に基づいて説明する。
【００１９】
図１〜図４に示す電気接続装置は、車両に搭載される配線システムの複数箇所にそれぞれ使用されるものである。図１及び図４（ａ）（ｂ）に示す電気接続装置は、合体コネクタである雌コネクタＦＣ１とこれに嵌合されるフード付コネクタである雄コネクタＭＣ１とで構成されており、同様に、図２に示す電気接続装置は、合体コネクタである雌コネクタＦＣ２とこれに嵌合されるフード付コネクタである雄コネクタＭＣ２とで構成され、図３に示す電気接続装置は、合体コネクタである雌コネクタＦＣ３とこれに嵌合されるフード付コネクタである雄コネクタＭＣ３とで構成されている。
【００２０】
すなわち、この実施の形態にかかる車両の配線システムでは、前記合体コネクタとして３つの雌コネクタＦＣ１，ＦＣ２，ＦＣ３が用いられ、これらの雌コネクタが嵌合されるべきフード付コネクタとして３つの雄コネクタＭＣ１，ＭＣ２，ＭＣ３が用いられる。
【００２１】
前記各雌コネクタＦＣ１，ＦＣ２，ＦＣ３のハウジングは、予め用意された２種類のハウジング１０Ａ，１０Ｂを適宜組み合わせて複数段（図例では３段）に積層することにより構成され、その最上段のハウジングにロック機能付の蓋材２０が装着されるようになっている。
【００２２】
両ハウジング１０Ａ，１０Ｂは、後述の識別用凸部１８の有無を除いて互いに同一の基本構造を有しており、任意のハウジング１０Ａ，１０Ｂ同士が積層可能（図例では上下方向に積層可能）となるように構成されている。具体的に、各ハウジング１０Ａ，１０Ｂは、その幅方向両側部に、上向きに突出する係合腕１０ａと側方に開口する係合凹部１０ｂとを有し、任意のハウジング１０Ａ（１０Ｂ）を上下に重ねた状態で下側のハウジングの係合腕１０ａに形成された内向きの爪が上側のハウジングの係合凹部１０ｂに係合することにより、その積層状態が保持されるようになっている。
【００２３】
前記ハウジング１０Ａ，１０Ｂは、図５〜図７に示すような複数の端子収容室１４を有している。これらの端子収容室１４は、ハウジング積層方向と直交する方向（水平方向）に並んでおり、各端子収容室１４に雌端子１２が保持されるようになっている。
【００２４】
各雌端子１２は、電線Ｄの端末で絶縁被覆が除去されることにより露出した導体部分に圧着される導体圧着部１２ａと、そのすぐ後側に位置する絶縁被覆部分に圧着される絶縁圧着部１２ｂと、前記導体圧着部１２ａを挟んで前記絶縁圧着部１２ｂと反対の側に形成された雌型（図例では箱型）の電気接触部１２ｄとを一体に有し、この電気接触部１２ｄの上面には被係止溝１２ｃが形成されている。
【００２５】
一方、前記各端子収容室１４は、ハウジング後方から各雌端子１２を挿入可能な長孔状に形成されている。これら端子収容室１４の前側部分はハウジング１０Ａ，１０Ｂの箱型部分１５によって四方から囲まれる一方、後側部分は当該ハウジングの天壁が除去されて上方に開放された状態となっている。また、この実施の形態では、ハウジング１０Ａ，１０Ｂの後端に当該ハウジングの左側壁上端から右側壁上端まで連続する補強壁１６Ａが形成されるとともに、当該ハウジング１０Ａ，１０Ｂの後端底壁に前記補強壁１６Ａと同形状の切欠１６Ｂが形成され、ハウジング積層時に下側のハウジングの補強壁１６Ａと上側のハウジングの切欠１６Ｂとが嵌合するようになっている。
【００２６】
前記箱型部分１５の天壁には、前記雌端子１２の被係止溝１２ｃを係止するランス１０ｃが形成され、当該箱型部分１５の前端壁には前側から相手方端子である後述の雄端子３２を挿入するための端子挿入孔１０ｄが設けられている。さらに、ハウジング底壁の適所には二重係止突起１０ｅが形成され、複数のハウジング１０Ａ（１０Ｂ）を積層した状態で上側のハウジングの二重係止突起１０ｅが下側のハウジングに保持されている端子１２の箱型電気接触部１２ｄの後端１２ｅに対して後方から当接する（二重係止する）ようになっている。
【００２７】
さらに、この電気接続装置の特徴として、ハウジング１０Ａ，１０Ｂのうち、ハウジング１０Ａの左右両側面（積層方向と直交する方向を向く側面）にのみ側方に突出する識別用凸部１８が設けられ、ハウジング１０Ｂの左右両側面は平坦面とされている。
【００２８】
蓋材２０は、最上段のハウジングに対してこれを上から覆うように装着されるもので、当該ハウジングの前記係合腕１０ａに係合可能な係合凹部２２を左右両側面に有している。また、この蓋材２０の上面には、相手方の雄コネクタＭＣ１〜ＭＣ３との嵌合状態を保持するための嵌合ロック片２４が形成されている。
【００２９】
この実施の形態では、各雌コネクタＦＣ１〜ＦＣ３のいずれにおいても、１個のハウジング１０Ａ及び２個のハウジング１０Ｂと蓋材２０とが用いられている。そして、図１に示す雌コネクタＦＣ１では上から蓋材２０、ハウジング１０Ａ，１０Ｂ，１０Ｂの順に積層され、図２に示す雌コネクタＦＣ２では上から蓋材２０、ハウジング１０Ｂ，１０Ａ，１０Ｂの順に積層され、図３に示す雌コネクタＦＣ３では上から蓋材２０、ハウジング１０Ｂ，１０Ｂ，１０Ａの順に積層されている。従って、各雌コネクタＦＣ１〜ＦＣ３はその識別用凸部１８の高さ位置が相互に異なったものとなっている。
【００３０】
一方、図１〜図３に示す各雄コネクタＭＣ１〜ＭＣ３は、前記雌コネクタＦＣ１〜ＦＣ３がそれぞれ嵌入可能な内側面形状をもつフード３０を有し、このフード３０の奥方に前記雌端子１２とそれぞれ嵌合される雄端子３２が配列されるとともに、当該フード３０の天壁に前記嵌合ロック片２４と係合される嵌合ロック窓３４が設けられている。
【００３１】
さらに、これら雄コネクタＭＣ１〜ＭＣ３の特徴として、前記フード３０の内側面には、当該雄コネクタＭＣ１，ＭＣ２，ＭＣ３のフード３０内にそれぞれ嵌入されるべき雌コネクタＦＣ１，ＦＣ２，ＦＣ３のもつ識別用凸部１８がその嵌入方向と平行な方向に嵌入可能な左右一対の識別用凹溝３８が当該識別用凸部１８の高さ位置と対応する高さ位置に形成されている。
【００３２】
具体的に、雌コネクタＦＣ１では識別用凸部１８をもつハウジング１０Ａが最上段に位置しているので、これに合せて雄コネクタＭＣ１のフード３０では雄コネクタＭＣ１〜ＭＣ３のうち最も高い位置に前記識別用凹溝３８が形成されている。同様に、雌コネクタＦＣ２では識別用凸部１８をもつハウジング１０Ａが中段に位置しているので、これに合せて雄コネクタＭＣ２のフード３０では雄コネクタＭＣ１の次に高い位置に前記識別用凹溝３８が形成されており、雌コネクタＦＣ３では識別用凸部１８をもつハウジング１０Ａが最下段に位置しているので、これに合せて雄コネクタＭＣ３のフード３０では雄コネクタＭＣ１〜ＭＣ３のうち最も低い位置に前記識別用凹溝３８が形成されている。
【００３３】
このような構成によれば、各雄コネクタＭＣ１〜ＭＣ３のフード３０に対し、これら雄コネクタＭＣ１，ＭＣ２，ＭＣ３にそれぞれ対応する雌コネクタＦＣ１，ＦＣ２，ＦＣ３しか嵌入することができないので、コネクタ同士の誤嵌合を確実に防止することができる。例えば、雄コネクタＭＣ１に対しては、その識別用凹溝３８内に雌コネクタＦＣ１における最上段のハウジング１０Ａの識別用凸部１８を嵌入するようにして当該雌コネクタＦＣ１全体を雄コネクタＭＣ１のフード３０内に嵌入することが可能であるが、当該雄コネクタＭＣ１のフード３０内に雌コネクタＦＣ２のハウジングを嵌入しようとしても、当該雌コネクタＦＣ２の識別用凸部１８の高さ位置と雄コネクタＭＣ１の識別用凹溝３８の高さ位置とがずれているために当該識別用凸部１８が邪魔になって前記嵌入はできない。従って、前記雄コネクタＭＣ１内に前記雌コネクタＦＣ１以外の雌コネクタＦＣ２，ＦＣ３が嵌入されるのを確実に防止することができる。
【００３４】
その一方、互いに対応する雌コネクタと雄コネクタについては、当該雌コネクタに存在する識別用凸部１８が相手方のフード３０の凹溝３８内に差込まれることにより、コネクタ嵌入方向への案内機能も発揮することが可能である。
【００３５】
しかも、この配線システムにおいて各雌コネクタＦＣ１〜ＦＣ３に使用されるハウジングはハウジング１０Ａ，１０Ｂの２種類のみであり、量産性の高い構成で前記誤嵌入防止効果を得ることが可能となっている。
【００３６】
なお、本発明では合体コネクタ（図例では雌コネクタＦＣ１〜ＦＣ３）のハウジング積層数を問わず、２段あるいは４段以上に設定してもよい。各ハウジングに保持される端子の数についても適宜設定が可能である。
【００３７】
各合体コネクタにおいて識別用凸部１８をもつハウジング１０Ａを使用する個数も１個に限らず、例えば一つの合体コネクタに複数のハウジング１０Ａを積層してもよいし、合体コネクタごとにハウジング１０Ａの使用数を異ならせるようにしてもよい。複数のハウジング１０Ａを積層する場合には、それと同数の段にわたって雄コネクタのフード３０に識別用凹溝３８を形成すればよい。このような実施形態では、複数段にわたって識別用凹溝３８をもつフード３０内に例えばハウジング１０Ａを１個だけ有する（すなわち識別用凸部１８を１段のみ有する）合体コネクタが嵌入可能となる場合も生じ得、その場合には当該フード３０内に複数種の合体コネクタが嵌入できることになるが、前記合体コネクタ側の識別用凸部１８の位置及び数とフード３０側の識別用凹溝３８の位置及び数とを相互一致させておけば、それらの照合によって対応コネクタの識別が可能であるため、当該識別によって誤嵌合の防止が実現される。
【００３８】
また、図例ではハウジング１０Ａの両側面に識別用凸部１８を設けるようにしているが、一方の側面のみに当該識別用凸部１８を設けるようにしても識別が可能である。また、右側面のみに識別用凸部１８をもつハウジングと左側面のみに識別用凸部１８をもつハウジングとを用意することにより、識別可能なコネクタ数をさらに増やすことも可能になる。
【００３９】
本発明において、識別部の具体的な形状は前記のような識別用凸部１８に限らず、適宜設定可能である。例えば、合体コネクタのハウジング側に前記フード付コネクタへの嵌入方向と平行な方向に延びる識別用凹溝を設け、これに対応する前記フード付コネクタの内側面に識別用凹溝内に嵌入可能な凸部を設けるようにしてもよい。あるいは、ハウジング外側面全体の形状を凹凸面、斜面、曲面等に設定することによって相互識別できるようにしてもよい。いずれの場合も、複数種のハウジングの積層の組み合わせを利用することにより、各合体コネクタを構成するハウジングの種類を大幅に増やすことなく、その高い量産性を確保しながら、合体コネクタ相互の識別及び当該合体コネクタに対応するフード付コネクタの識別を容易にすることができる。
【００４０】
さらに、ハウジング相互を合体させる形態についても、図示のような積層式のものに限らず、例えば図８（ａ）及び図９（ａ）に示すように互いに外形の大きさが僅かに異なる略正方形状のハウジング１０Ｌ，１０Ｓを適当に４個組み合わせることにより互いに外側面形状の異なる合体コネクタＪＣ１，ＪＣ２を構築するようにしてもよい。この場合も、図８（ｂ）及び図９（ｂ）に示すように、前記各合体コネクタＪＣ１，ＪＣ２の外側面形状にそれぞれ合せてその相手方のフード付コネクタＤＣ１，ＤＣ２のフード３０の開口４１，４２の形状、すなわち内側面形状を設定することにより、対応コネクタの識別を容易にすることができる。
【００４１】
【発明の効果】
以上のように本発明は、合体コネクタを構成するハウジングとしてその外側面形状が互いに異なる複数種のハウジングを用意し、その複数種のハウジングを互いに異なる組み合わせで合体させることにより互いに外側面形状の異なる複数の合体コネクタを構築する一方、これらの合体コネクタがそれぞれ嵌合されるべき前記フード付コネクタのフードの内側面形状を当該合体コネクタの外側面形状に対応させたものであるので、各合体コネクタに使用されるハウジングの種類を大幅に増やすことなく、簡単な構成で各合体コネクタに対応するフード付コネクタを容易に識別することができる効果がある。
【図面の簡単な説明】
【図１】本発明の実施の形態にかかる車両の配線システムに含まれる電気接続装置を示す斜視図である。
【図２】前記車両の配線システムに含まれる別の電気接続装置を示す斜視図である。
【図３】前記車両の配線システムに含まれる別の電気接続装置を示す斜視図である。
【図４】（ａ）は図１に示される電気接続装置を構成する雌コネクタのハウジングを積層する前の状態を示す斜視図、（ｂ）は当該ハウジングを積層した後の状態を示す斜視図である。
【図５】前記各雌コネクタに含まれるハウジングの斜視図である。
【図６】前記各雌コネクタに含まれるハウジングに端子が挿入される前の状態を示す断面斜視図である。
【図７】前記各雌コネクタに含まれるハウジングに端子が挿入された状態を示す断面斜視図である。
【図８】（ａ）は互いに外形の異なる４つのハウジングを組み合わせて構築された合体コネクタの例を示す正面図、（ｂ）は（ａ）の合体コネクタに対応するフード付コネクタのフード開口形状を示す正面図である。
【図９】（ａ）は互いに外形の異なる４つのハウジングを組み合わせて構築された合体コネクタであって図８に示す合体コネクタとは外形の異なる合体コネクタの例を示す正面図、（ｂ）は（ａ）の合体コネクタに対応するフード付コネクタのフード開口形状を示す正面図である。
【符号の説明】
ＦＣ１，ＦＣ２，ＦＣ３  雌コネクタ（合体コネクタ）
ＭＣ１，ＭＣ２，ＭＣ３  雄コネクタ（フード付コネクタ）
ＪＣ１，ＪＣ２  合体コネクタ
ＤＣ１，ＤＣ２  フード付コネクタ
１０Ａ，１０Ｂ  ハウジング
１２  雌端子
１４  端子収容室
１８  識別用凸部
３０  フード
３２  雄端子
３８  凹溝
【図１】
2004327325.tif 000003
【図２】
2004327325.tif 000004
【図３】
2004327325.tif 000005
【図４】
2004327325.tif 000006
【図５】
2004327325.tif 000007
【図６】
2004327325.tif 000008
【図７】
2004327325.tif 000009
【図８】
2004327325.tif 000010
【図９】
2004327325.tif 000011